(57)【要約】      （修正有）【課題】ウクレレに付いているラウドスピーカーで演奏音を増幅し、現場の演奏効果を向上させることができるラウドスピーカー付きウクレレを提供する。【解決手段】ラウドスピーカー付きウクレレは、共鳴箱１、指板２、ヘッドストック３及び琴線を有する。指板２は、指板下部を共鳴箱１と接続し、指板先端をヘッドストック３と接続する。琴線は、共鳴箱１のパネルに設けた弦支持部５とヘッドストック３との間を繋げる。共鳴箱１は、ラウドスピーカー６、電池給電装置７、イコライザ９を設ける。弦支持部５は、内部にピックアップ装置を設ける。ピックアップ装置は、イコライザ９を介してラウドスピーカー６と接続する。【選択図】図２
0003205126.tif 000002
【実用新案登録請求の範囲】
【請求項１】
共鳴箱、指板、ヘッドストック及び琴線を有するラウドスピーカー付きウクレレであって、
前記指板の下部は前記共鳴箱と接続し、該指板の先端は前記ヘッドストックと接続し、
前記共鳴箱のパネルに弦支持部が設けられ、前記琴線は、該弦支持部とヘッドストックとの間を繋げ、
前記共鳴箱には、ラウドスピーカー、電池給電装置、及びイコライザが設けられ、
前記弦支持部の内部にピックアップ装置が設けられ、
前記ピックアップ装置は、前記イコライザを介して前記ラウドスピーカーと接続する、
ことを特徴とするラウドスピーカー付きウクレレ。
【請求項２】
前記共鳴箱のパネルに前記ラウドスピーカーを入れる取付け穴が設けられ、前記イコライザ及び前記電池給電装置は共鳴箱の側部に設られる、
ことを特徴とする請求項１に記載するラウドスピーカー付きウクレレ。
【請求項３】
前記電池給電装置は、充電式電池が入っているバッテリーボックスであり、前記バッテリーボックスに音声出力インターフェースが設けられ、前記音声出力インターフェースは前記イコライザと接続する、
ことを特徴とする請求項１又は２に記載するラウドスピーカー付きウクレレ。
【考案の詳細な説明】
【技術分野】
【０００１】
本考案は、弦楽器に関し、具体的にはラウドスピーカー付きウクレレに関する。
【背景技術】
【０００２】
ウクレレの英語名はＵｋｕｌｅｌｅで、4本の弦があるハワイの弦楽器で、ギター楽器に属する。大人にも子供にも似合い、音が綺麗で学びやすく、可愛くて、またリズムのポテンシャルを励起できる楽器だと言われている。これを持って、弾けない曲はない。ハワイ語で、Ｕｋｕｌｅｌｅは「来る贈り物」を意味している。ｕｋｕ（贈り物）、ｌｅｌｅ（来る）、{ｏｏ−ｋｏｏ−ｌｅｙ−ｌｅｙ}と読まれる。十九世紀の時、ポルトガルからの移住者がＵｋｕｌｅｌｅをハワイに持ち込み、ギターに類似する現地の小型楽器となった。二十世紀初頭に、Ｕｋｕｌｅｌｅはアメリカ各地で注目され、次第に世界中に伝わってきた。
【０００３】
ウクレレは、共鳴箱と四本の琴線を有し、前記琴線はナイロン類の材質である。
【０００４】
しかしながら、現在、市場に出回っているウクレレにはラウドスピーカーが付いていないため、それ自体で音を増幅することができず（付属の共鳴箱の音量が小さく、長距離伝播に適しない）、外付けのスピーカーで音を増幅しなければならない。そのため、大量の準備作業が必要とされ、また調整する時間もかかり、持ち運びにも便利ではない。
【考案の概要】
【考案が解決しようとする課題】
【０００５】
本考案は、上記従来の技術の問題点に鑑みなされたもので、ラウドスピーカー付きのウクレレを提供し、ウクレレに付いているラウドスピーカーで演奏音を増幅し、現場の演奏効果を向上させることを目的とする。
【課題を解決するための手段】
【０００６】
本考案の目的は、以下の技術案で達成する。
【０００７】
本考案に係るラウドスピーカー付きのウクレレは、共鳴箱、指板、ヘッドストック及び琴線を有する。指板下部は共鳴箱と接続し、指板先端はヘッドストックと接続する。前記共鳴箱のパネルに弦支持部を設け、前記琴線は弦支持部とヘッドストックを繋げる。前記共鳴箱にラウドスピーカー及び電池給電装置も設ける。前記弦支持部内にピックアップ装置を設け、前記共鳴箱内にイコライザを設ける。前記ピックアップ装置はイコライザを介してラウドスピーカーと接続することを特徴とする。
【０００８】
具体的に、前記共鳴箱のパネルにラウドスピーカーを入れる取付け穴を設け、前記イコライザ、電池給電装置は共鳴箱の側部に設ける。
【０００９】
本考案の実施例では、前記給電装置は充電式電池が入っているバッテリーボックスで、前記バッテリーボックスに音声出力インターフェースを設け、前記音声出力インターフェースをイコライザと接続する。
【考案の効果】
【００１０】
本考案は従来の技術に比べ、以下の利点及び有益な効果を有する。
【００１１】
本考案において、ウクレレの共鳴箱にラウドスピーカーを設けることによって、ラウドスピーカーで演奏音を増幅し、使用者が演奏音を即時に長距離伝播できる。また、共鳴箱内にラウドスピーカーを設けるので、ウクレレの既存の体積を維持し、持ち運びにも便利である。
【図面の簡単な説明】
【００１２】
【図１】本考案の実施例に係るラウドスピーカー付きウクレレの構造見取り図である。
【図２】本考案の実施例に係るラウドスピーカー付きウクレレの分解図である。
【図３】本考案の実施例に係るラウドスピーカー付きウクレレの原理ダイアグラムである。
【考案を実施するための形態】
【００１３】
以下、本考案の実施例について詳細に説明する。但し、本考案の実施方法はこれには限らない。
【００１４】
（実施例）
図１、図２と図３を参照しながら、本実施例に係るラウドスピーカー付きウクレレについて説明する。本実施例に係るラウドスピーカー付きウクレレは、共鳴箱１、指板２、ヘッドストック３及び琴線４を有する。指板２の下部が共鳴箱１と接続し、指板２の先端がヘッドストック３と接続する。前記共鳴箱１のパネルに弦支持部５を設け、前記琴線４は弦支持部５とヘッドストック３の間を繋げる。前記共鳴箱１にラウドスピーカー６及び電池給電装置７も設け、前記弦支持部５の中にピックアップ装置８を設ける。前記共鳴箱１の中にイコライザ９を設け、前記ピックアップ装置８はイコライザ９を介してラウドスピーカー６と接続する。
【００１５】
前記共鳴箱１のパネルにラウドスピーカーを入れる取付け穴１０を設ける。前記イコライザ９、電池給電装置７は、共鳴箱１の底部に設ける。上記構造によって、ウクレレの既存の体積と外形が維持され、持ち運びにも便利である。ラウドスピーカーは共鳴箱１のパネルの前側に設け、音声伝播効果を良くする。
【００１６】
本考案の実施例では、前記電池給電装置７は充電式電池が入っているバッテリーボックスで構成する。前記バッテリーボックスには音声出力インターフェース１１を設け、前記音声出力インターフェース１１をイコライザ９と接続する。本実施例においては、前記電池給電装置７は共鳴箱１の底部に最適設置され、より良い音響効果が必要な場合、バッテリーボックスに設ける音声出力インターフェース１１を接続することによって、簡単に外付けの音響設備と接続できる。
【００１７】
以上の記載は、単に本考案の好ましい実施例及び適用する技術原理であり、本考案を限定するものではない。本技術分野を熟知するいかなる技術者が、本考案の真髄と原理に乖離せずに実施した変更・修飾・代替・組合せ・簡略化は、いずれも本考案の技術的範囲に属するものである。
【符号の説明】
【００１８】
１…共鳴箱、２…指板、３…ヘッドストック、４…琴線、５…弦支持部、６…ラウドスピーカー、７…電池給電装置、８…ピックアップ装置、９…イコライザ、１０…取付け穴、１１…音声出力インターフェース
【図３】
0003205126.tif 000003
【図１】
0003205126.tif 000004
【図２】
0003205126.tif 000005